(57)【要約】【課題】本発明の目的は、端子と表示部の電極との両方に接触子を安定して接触させることができるスイッチを提供することである。【解決手段】スイッチは、スイッチ機構３０の２つの端子３１，３２を表示部４０の２つの電極４１１，４１２にそれぞれ電気的に接続する２つの接触子５０１，５０２と、前記スイッチ機構３０を収容する器体７０、及び、器体７０の前面７０１に移動可能に取り付けられるハンドル８０を有するケース６０と、を備える。２つの接触子５０１，５０２は、ケース６０に取り付けられる第１ばね部５１と、第１ばね部５１から延出される第２ばね部５２と、を有する。第１ばね部５１は、２つの端子３１，３２のうちの対応する端子の接触面３１３，３２３に弾性力を作用させた状態で接触する。第２ばね部５２は、２つの電極４１１，４１２のうちの対応する電極に弾性力を作用させた状態で接触する。【選択図】  図１
2018045869.tif 000002
【特許請求の範囲】
【請求項１】
２つの端子及び可動接点を有するスイッチ機構と、
２つの電極を有する表示部と、
前記２つの端子を前記２つの電極にそれぞれ電気的に接続する２つの接触子と、
前記スイッチ機構を収容する器体、及び、前記可動接点を移動させるために前記器体の前面に移動可能に取り付けられるハンドルを有するケースと、
を備え、
前記２つの端子は、それぞれ、前記器体の前方を向いた接触面を有し、
前記２つの電極は、それぞれ、前記器体の後方を向くように配置され、
前記２つの接触子の少なくとも一方は、前記ケースに取り付けられる第１ばね部と、前記第１ばね部から延出される第２ばね部と、を有し、
前記第１ばね部と前記第２ばね部との一方は、前記２つの端子のうちの対応する端子の前記接触面に弾性力を作用させた状態で接触し、他方は、前記２つの電極のうちの対応する電極に弾性力を作用させた状態で接触する、
スイッチ。
【請求項２】
前記第１ばね部及び前記第２ばね部の各々は、板ばねである、
請求項１のスイッチ。
【請求項３】
前記第１ばね部は、一端に前記ケースに取り付けられる取付部を有し、
前記第２ばね部は、前記第１ばね部の他端から延出され、
前記ケースは、前記取付部が前記第２ばね部の接触方向と同じ方向で接触する当接部と、前記当接部とで前記取付部を挟む挟持部と、を有する、
請求項１又は２のスイッチ。
【請求項４】
前記取付部は、前記当接部と対向する面に突起を有し、
前記当接部は、前記突起が挿入される空所を有する、
請求項３のスイッチ。
【請求項５】
前記ハンドルは、前記器体の前後方向に直交する回転軸の周りに回転可能に支持され、
前記２つの電極は、前記前後方向において前記回転軸と重なっている、
請求項１〜４のいずれか一つのスイッチ。
【請求項６】
前記２つの接触子の各々は、前記第１ばね部及び前記第２ばね部を有し、前記前後方向に平行し前記回転軸を通る軸に対して２回対称に配置される、
請求項５のスイッチ。
【請求項７】
前記第１ばね部は、前記器体に取り付けられ、前記２つの端子のうちの対応する端子の前記接触面に弾性力を作用させた状態で接触し、前記第２ばね部は、前記２つの電極のうちの対応する電極に弾性力を作用させた状態で接触する、
請求項１〜６のいずれか一つのスイッチ。
【発明の詳細な説明】
【技術分野】
【０００１】
本発明は、一般にスイッチに関し、特に表示部を備えるスイッチに関する。
【背景技術】
【０００２】
従来、様々なスイッチ（スイッチ装置）が提供されている。例えば、特許文献１は、電線が接続される複数の端子板と、端子板間の電気的導通及び遮断を切り替える開閉素子と、開閉素子による端子板間の電気的導通及び遮断に伴い点灯及び消灯する表示灯装置とを備えるスイッチ装置を開示する。端子板には、表示灯装置の回路基板に弾接することにより、端子板と表示灯とを電気的に接続する接触子が取り付けられている。
【先行技術文献】
【特許文献】
【０００３】
【特許文献１】特開２０１０−２７２４６号公報
【発明の概要】
【発明が解決しようとする課題】
【０００４】
特許文献１では、接触子は端子板に固定されている。そのため、寸法誤差等の影響を受けて、接触子が端子板（端子）に安定して接触しない場合があった。また、このことが接触子と表示灯装置（表示部）の回路基板の導電パターン（電極）との接触に影響を与え、結果として、接触子が電極に安定して接触しない場合があった。
【０００５】
本発明の課題は、端子と表示部の電極との両方に接触子を安定して接触させることができるスイッチを提供することである。
【課題を解決するための手段】
【０００６】
本発明に係る一態様のスイッチは、２つの端子及び可動接点を有するスイッチ機構と、２つの電極を有する表示部と、前記２つの端子を前記２つの電極にそれぞれ電気的に接続する２つの接触子と、ケースと、を備える。前記ケースは、前記スイッチ機構を収容する器体、及び、前記可動接点を移動させるために前記器体の前面に移動可能に取り付けられるハンドルを有する。前記２つの端子は、それぞれ、前記器体の前方を向いた接触面を有する。前記２つの電極は、それぞれ、前記器体の後方を向くように配置される。前記２つの接触子の少なくとも一方は、前記ケースに取り付けられる第１ばね部と、前記第１ばね部から延出される第２ばね部と、を有する。前記第１ばね部と前記第２ばね部との一方は、前記２つの端子のうちの対応する端子の前記接触面に弾性力を作用させた状態で接触する。前記第１ばね部と前記第２ばね部との他方は、前記２つの電極のうちの対応する電極に弾性力を作用させた状態で接触する。
【発明の効果】
【０００７】
本発明に係る一態様のスイッチによれば、端子と表示部の電極との両方に接触子を安定して接触させることができるという効果を奏する。
【図面の簡単な説明】
【０００８】
【図１】図１Ａ及び図１Ｂは、一実施形態のスイッチのスイッチ本体の断面図である。
【図２】図２は、同上のスイッチの分解斜視図である。
【図３】図３は、上記スイッチ本体を前方から見た分解斜視図である。
【図４】図４は、上記スイッチ本体を後方から見た分解斜視図である。
【図５】図５Ａは上記スイッチ本体の正面図であり、図５Ｂはハンドルが省略された上記スイッチ本体の正面図である。
【図６】図６は、上記スイッチ本体の接触子の斜視図である。
【図７】図７Ａ及び図７Ｂは、上記実施形態の変形例のスイッチのスイッチ本体の断面図である。
【図８】図８は、ハンドルが省略された上記スイッチ本体の正面図である。
【図９】図９は、上記実施形態の別の変形例のスイッチの要部の断面図である。
【発明を実施するための形態】
【０００９】
１．実施形態
１．１  構成
以下、図１Ａ及び図１Ｂ、並びに図２〜図６を参照して本実施形態のスイッチ１０について説明する。本実施形態のスイッチ１０は、図１Ａ及び図１Ｂに示すスイッチ本体２０を備える。なお、図１Ａは、図５ＡのＸ−Ｘ線断面図であり、図１Ｂは図５ＡのＹ−Ｙ線断面図である。スイッチ本体２０は、スイッチ機構３０と、表示部４０と、２つの接触子５０（第１接触子５０１及び第２接触子５０２）と、ケース６０と、を備える。また、スイッチ１０は、図２に示すように、スイッチ本体２０の前面を覆うようにスイッチ本体２０に取り付けられるスイッチハンドル９０を備える。
【００１０】
ケース６０は、図１Ａ及び図１Ｂに示すように、スイッチ機構３０を収容する器体７０と、可動接点３３を移動させるために器体７０の前面（図１Ａ及び図１Ｂの上面）７０１に移動可能に取り付けられるハンドル８０と、を備える。特に、ハンドル８０は、器体７０に所定範囲で回転可能に取り付けられる。ここで、所定範囲は、例えば、ハンドル８０の前方向と器体７０の前方向との間の角度が鋭角となるように設定される。
【００１１】
スイッチ機構３０は、図３及び図４に示すように、２つの端子（第１及び第２端子）３１，３２と、可動接点３３と、可動接触子３４と、付勢ばね３５と、を有する。
【００１２】
第１及び第２端子３１，３２の各々は、電線が接続される端子である。第１及び第２端子３１，３２は互いに分離して配置されている。より詳細には、図１Ａ及び図１Ｂに示すように、第１端子３１は器体７０の長手方向の一端側（図１Ａ及び図１Ｂの左端側）に、第２端子３２は器体７０の長手方向の他端側（図１Ａ及び図１Ｂの右端側）にそれぞれ配置される。
【００１３】
第１端子３１は、端子板３１０と、２つの鎖錠ばね３１１と、解除釦３１２と、を備える。端子板３１０は、金属板により形成される。端子板３１０は、固定接点３１０ａと、２つの接触片３１０ｂ，３１０ｂと、連結片３１０ｃと、を有する。接触片３１０ｂと鎖錠ばね３１１とは互いに対向するように配置されて、いわゆる速結端子を構成する。第１端子３１は、互いに対向する接触片３１０ｂと鎖錠ばね３１１との間で電線を保持する。解除釦３１２は、電線を第１端子３１から取り外すことができるように鎖錠ばね３１１を部分的に変形させるための部材である。解除釦３１２は、電気絶縁性を有する合成樹脂の成形品である。また、第１端子３１は、図１Ａに示すように、連結片３１０ｃの前面に第１接触子５０１と接触される接触面（第１接触面）３１３を有する。つまり、第１接触面３１３は、器体７０の前方を向いた面である。なお、器体７０の前方とは、器体７０においてスイッチハンドル９０が取り付けられる側である。また、器体７０の後方とは、器体７０においてスイッチハンドル９０が取り付けられる側とは反対側である。
【００１４】
第２端子３２は、端子板３２０と、２つの鎖錠ばね３２１と、解除釦３２２と、を備える。端子板３２０は、金属板により形成される。端子板３２０は、支持片３２０ａと、２つの接触片３２０ｂ，３２０ｂと、連結片３２０ｃと、を有する。支持片３２０ａは、可動接触子３４を回転可能に支持する。接触片３２０ｂと鎖錠ばね３２１とは互いに対向するように配置されて、いわゆる速結端子を構成する。第２端子３２は、互いに対向する接触片３２０ｂと鎖錠ばね３２１との間で電線を保持する。解除釦３２２は、電線を第２端子３２から取り外すことができるように鎖錠ばね３２１を部分的に変形させるための部材である。解除釦３２２は、電気絶縁性を有する合成樹脂の成形品である。また、第２端子３２は、図１Ｂに示すように、連結片３２０ｃの前面に第２接触子５０２と接触される接触面（第２接触面）３２３を有する。つまり、第２接触面３２３は、器体７０の前方を向いた面である。
【００１５】
可動接触子３４は、矩形の金属板である。可動接触子３４は、後端で第２端子３２の支持片３２０ａに回転自在に支持される。
【００１６】
可動接点３３は、図１Ａに示すように、可動接触子３４において第１端子３１の固定接点３１０ａと対向する面に設けられる。したがって、可動接点３３は、第１端子３１（固定接点３１０ａ）に接触する第１位置及び第１端子３１（固定接点３１０ａ）に接触しない第２位置との間で移動可能である。また、可動接点３３は、可動接触子３４を通じて第２端子３２に電気的に接続される。
【００１７】
付勢ばね３５は、図１Ａに示すように、可動接触子３４とハンドル８０とを連結する。より詳細には、付勢ばね３５は、コイルばねであり、一端が可動接触子３４の前端に連結され、他端がハンドル８０に保持される。
【００１８】
スイッチ機構３０では、可動接点３３が第１位置にある場合、可動接点３３が固定接点３１０ａに接触するため、第１端子３１と第２端子３２との間の電路が閉じられる。可動接点３３が第２位置にある場合、可動接点３３が固定接点３１０ａに接触しないため、第１端子３１と第２端子３２との間の電路が開かれる。スイッチ機構３０は、片切りスイッチを構成する。
【００１９】
表示部４０は、図３及び図４に示すように、２つの電極４１（第１電極４１１及び第２電極４１２）と、光源４２と、抵抗４３と、基板４４と、を有する。第１電極４１１及び第２電極４１２と、光源４２と、抵抗４３とは基板４４に実装される。基板４４は、中央に開口４４０を有する。第１電極４１１及び第２電極４１２は、図４に示すように、基板４４の後面に形成される。第１電極４１１及び第２電極４１２は、基板４４の長手方向の中央部において短手方向の両側に位置する。光源４２及び抵抗４３は、基板４４の前面に実装される。光源４２及び抵抗４３は、基板４４の長手方向の一端側に位置する。基板４４は、配線パターンを有しており、この配線パターンは、光源４２及び抵抗４３を第１電極４１１と第２電極４１２との間に直列に接続する。光源４２は、第１電極４１１と第２電極４１２との間の電圧に応じて点灯状態（点灯又は消灯）が変わる。光源４２は、例えば、発光ダイオードである。
【００２０】
このように、表示部４０は、第１電極４１１と第２電極４１２との間の電圧に応じて表示状態（光源４２の点灯状態）を変更するように構成される。本実施形態では、表示部４０は、スイッチ１０を介して電源から負荷に電力が供給されている場合に光源４２が消灯し、スイッチ１０を介して電源から負荷に電力が供給されていない場合に光源４２が点灯するように構成されていてもよい。負荷が照明器具である場合には、負荷が消灯している場合でも、光源４２が点灯する。そのため、表示部４０は、表示灯として機能し、暗所においてスイッチ１０の位置を確認することができる。
【００２１】
２つの接触子５０（第１接触子５０１及び第２接触子５０２）は、２つの端子（第１及び第２端子）３１，３２を２つの電極４１（第１電極４１１及び第２電極４１２）にそれぞれ電気的に接続する。第１接触子５０１及び第２接触子５０２は、同じ形状であり、図１Ａ及び図１Ｂ並びに図６に示すように、ケース６０に取り付けられる第１ばね部５１と、第１ばね部５１から延出される第２ばね部５２と、を有する。
【００２２】
図１Ａに示すように、第１接触子５０１では、第１ばね部５１は、器体７０（カバー７２）に取り付けられる。また、第１ばね部５１が第１端子３１の接触面３１３に弾性力を作用させた状態で接触し、第２ばね部５２が第１電極４１１に弾性力を作用させた状態で接触する。そのため、第１ばね部５１が第１電極４１１に、第２ばね部５２が接触面３１３にそれぞれ接触する場合に比べて、第１ばね部５１がハンドル８０の回転に対する影響を受け難くなる。そのため、ハンドル８０の回転によって第１ばね部５１及び第２ばね部５２の両方が変形することを抑制できる。したがって、第１端子３１と第１電極４１１との両方に第１接触子５０１をより安定して接触させることができる。
【００２３】
図１Ｂに示すように、第２接触子５０２では、第１ばね部５１は、器体７０（カバー７２）に取り付けられる。また、第１ばね部５１が第２端子３２の接触面３２３に弾性力を作用させた状態で接触し、第２ばね部５２が第２電極４１２に弾性力を作用させた状態で接触する。そのため、第１ばね部５１が第２電極４１２に、第２ばね部５２が接触面３２３にそれぞれ接触する場合に比べて、第１ばね部５１がハンドル８０の回転に対する影響を受け難くなる。そのため、ハンドル８０の回転によって第１ばね部５１及び第２ばね部５２の両方が変形することを抑制できる。したがって、第２端子３２と第２電極４１２との両方に第２接触子５０２をより安定して接触させることができる。
【００２４】
第１ばね部５１及び第２ばね部５２の各々は、板ばね（例えば、金属製の板ばね）である。そのため、第１ばね部５１及び第２ばね部５２が面接触し易くなる。したがって、第１端子３１と第１電極４１１との両方に第１接触子５０１をより安定して接触させることができ、また、第２端子３２と第２電極４１２との両方に第２接触子５０２をより安定して接触させることができる。第１ばね部５１及び第２ばね部５２は一体に形成される。
【００２５】
第１ばね部５１は、図６に示すように、取付部５１１と、延出部５１３と、を有する。取付部５１１は、矩形板状である。取付部５１１は、器体７０の前方に突出する突起５１２を有する。延出部５１３は、取付部５１１から器体７０の斜め後方に延びる。延出部５１３は、先端が器体７０の斜め前方に向かうように屈曲した形状である。第２ばね部５２は、延出部５１３の先端から斜め前方に延出される。第２ばね部５２は、先端が斜め後方に向かうように湾曲した形状である。このように、第１ばね部５１は、一端にケース６０に取り付けられる取付部５１１を有し、第２ばね部５２は、第１ばね部５１の他端から延出される。
【００２６】
ケース６０は、図１Ａ及び図１Ｂに示すように、スイッチ機構３０を収容する器体７０と、可動接点３３を移動させるために器体７０の前面７０１（図１Ａ及び図１Ｂの上面）に移動可能に取り付けられるハンドル８０と、を備える。
【００２７】
器体７０は、図１Ａ及び図１Ｂに示すように、ボディ７１と、カバー７２と、を有する。ボディ７１及びカバー７２は、電気絶縁性を有する合成樹脂の成形品である。
【００２８】
ボディ７１は、直方体状の箱状であり、前面が開口している。さらに、ボディ７１は、図４に示すように、２つの第１貫通孔７１１，７１１と、２つの第２貫通孔７１２，７１２と、を有する。２つの第１貫通孔７１１，７１１は、第１端子３１に電線を接続するための孔である。２つの第２貫通孔７１２，７１２は、第２端子３２に電線を接続するための孔である。２つの第１貫通孔７１１，７１１は、ボディ７１の後面の長手方向（図１Ａの左右方向）の一端（図１Ａの左端）にあり、２つの第２貫通孔７１２，７１２は、ボディ７１の後面の長手方向の他端（図１Ａの右端）にある。２つの第１貫通孔７１１，７１１は、ボディ７１の短手方向（図５Ａの上下方向）に並んでいる。また、２つの第２貫通孔７１２，７１２も、ボディ７１の短手方向（図５Ａの上下方向）に並んでいる。
【００２９】
カバー７２は、ボディ７１の前面に取り付けられる。そのため、カバー７２の前面が器体７０の前面７０１となる。カバー７２は、図５Ｂに示すように、中央に開口７２１を有する矩形枠状である。カバー７２は、さらに、２つの軸受部７２２，７２２を有する。２つの軸受部７２２，７２２は、カバー７２の短手方向（図５Ｂの上下方向）において互いに対向する。図３及び図４に示すように、２つの軸受部７２２，７２２はそれぞれ軸孔７２３を有する。２つの軸受部７２２，７２２は、カバー７２の開口７２１内でハンドル８０を回転軸の周りに回転自在に支持する。回転軸は、器体７０の前後方向に直交する。
【００３０】
また、カバー７２は、図１Ａ及び図１Ｂ並びに図５Ｂに示すように、３つの当接部７２４（７２４Ａ，７２４Ｂ，７２４Ｃ）を有する。さらに、カバー７２は、図４に示すように、３つの当接部７２４（７２４Ａ，７２４Ｂ，７２４Ｃ）の後方に位置する３つの挟持部７２５（７２５Ａ，７２５Ｂ，７２５Ｃ）と、を有する。当接部７２４とこの当接部７２４に対応する挟持部７２５とは、接触子５０を保持するために用いられる。
【００３１】
３つの当接部７２４Ａ，７２４Ｂ，７２４Ｃは、カバー７２の短手方向に延びる矩形板状である。２つの当接部７２４Ａ，７２４Ｃは、カバー７２の長手方向における開口７２１の一端側（図５Ｂの左端側）に位置し、当接部７２４Ｂは、カバー７２の長手方向における開口７２１の他端側（図５Ｂの右端側）に位置する。各当接部７２４は空所７２４１を有する。空所７２４１は貫通孔である。
【００３２】
挟持部７２５Ａ，７２５Ｂ，７２５Ｃは、カバー７２の短手方向に延びる矩形板状である。挟持部７２５Ａ，７２５Ｂ，７２５Ｃは、図１Ａ及び図１Ｂに示すように、当接部７２４Ａ，７２４Ｂ，７２４Ｃの空所７２４１と対向するように当接部７２４Ａ，７２４Ｂ，７２４Ｃの後方に位置する。
【００３３】
ここで、当接部７２４Ａと当接部７２４Ｂとは、図５Ｂに示すように、器体７０の前後方向に平行し回転軸を通る軸（図５Ｂでは器体７０の中心軸）に対して２回対称に配置される。一方、当接部７２４Ｃは、カバー７２の長手方向において、当接部７２４Ｂと一直線上に位置する。
【００３４】
ハンドル８０は、図１Ａ及び図１Ｂ、並びに図３及び図４に示すように、直方体の箱状であり、後面が開口している。ハンドル８０は、電気絶縁性を有する合成樹脂の成形品である。ハンドル８０は、２つの軸部８１，８１と、窓孔８２と、保持部８３と、を有する。２つの軸部８１は、図５Ａに示すように、ハンドル８０の短手方向（図５Ａの上下方向）の両側に位置する。ハンドル８０の２つの軸部８１，８１がカバー７２の２つの軸受部７２２，７２２の軸孔７２３に挿入されることで、ハンドル８０は、器体７０の前後方向に直交する回転軸の周りに回転可能に支持される。窓孔８２は、ハンドル８０の前面における長手方向の一端（図５Ａの右端）に形成される。保持部８３は、付勢ばね３５を保持するための部位であり、ハンドル８０の内底面から後方に突出する。保持部８３は円筒状であり、付勢ばね３５は保持部８３の内側に挿入される。
【００３５】
ハンドル８０は、付勢ばね３５により可動接触子３４に連結される。そのため、ハンドル８０の回転に応じて、可動接点３３が設けられた可動接触子３４も回転する。したがって、ハンドル８０は、可動接点３３を第１位置と第２位置との間で移動させるように器体７０に移動可能（本実施形態では回転可能）に取り付けられる。
【００３６】
スイッチハンドル９０は、図２に示すように、ハンドル本体９１と、ハンドル本体９１に形成されたスリット９２と、スリット９２に嵌められるプリズム９３と、を備える。ハンドル本体９１は、スイッチ本体２０の前面を覆う大きさに形成される。特に、ハンドル本体９１は、３つのスイッチ本体２０をそれらの幅方向（図２の上下方向）に並べた場合に、３つのスイッチ本体２０の前面の全てを覆うような大きさである。つまり、スイッチハンドル９０は、いわゆるシングルスイッチ用のハンドルである。シングルスイッチ用のハンドルは、３つのスイッチ本体２０をそれらの幅方向に並べて取り付け可能な取付枠に１つのスイッチ本体２０を取り付ける場合に使用されるハンドルである。つまり、シングルスイッチ用のハンドルは、１つの取付枠に対して一つまで取り付け可能である。ハンドル本体９１は、例えば、不透明な合成樹脂材料の成形品である。
【００３７】
１．２  組み立て方法
次に本実施形態のスイッチ１０の組み立て方法の一例について説明する。
【００３８】
図１Ａ及び図１Ｂに示すように、端子板３１０と、２つの鎖錠ばね３１１と、解除釦３１２とを、ボディ７１の長手方向の一端側（図１Ａ及び図１Ｂの左端側）に収容する。また、端子板３２０と、２つの鎖錠ばね３２１と、解除釦３２２とを、ボディ７１の長手方向の他端側（図１Ａ及び図１Ｂの右端側）に収容する。これにより、第１端子３１及び第２端子３２がボディ７１に収納される。また、可動接触子３４が第２端子３２の支持片３２０ａ上に配置される。
【００３９】
また、図１Ａ及び図１Ｂに示すように、表示部４０をハンドル８０に収納する。これにより、ハンドル８０の保持部８３が基板４４の開口４４０を通り、光源４２がハンドル８０の窓孔８２から露出する。また、第１電極４１１及び第２電極４１２は、ハンドル８０の後方を向く。また、第１電極４１１及び第２電極４１２は、ハンドル８０の前後方向においてハンドル８０の回転軸（軸部８１）と重なっている。さらに、付勢ばね３５をハンドル８０の保持部８３に取り付ける。
【００４０】
また、図１Ａ及び図１Ｂに示すように、第１及び第２接触子５０１，５０２をカバー７２に取り付ける。第１接触子５０１をカバー７２に取り付ける場合、第１接触子５０１の取付部５１１を当接部７２４Ａと挟持部７２５Ａとの間に挿入する。これにより、図１Ａに示すように、取付部５１１が第２ばね部５２の接触方向と同じ方向で当接部７２４に接触し、取付部５１１が当接部７２４Ａと挟持部７２５Ａとで挟まれる。よって、第１接触子５０１のカバー７２からの脱落が抑制される。なお、第１接触子５０１における、第２ばね部５２の接触方向は、第２ばね部５２が部材（本実施形態では、第１電極４１１）に接触する方向（つまり、弾性力が作用する方向）である。また、突起５１２が当接部７２４Ａの空所７２４１に入り込むから、第１接触子５０１のカバー７２からの脱落がさらに抑制される。
【００４１】
同様に、第２接触子５０２をカバー７２に取り付ける場合、第２接触子５０２の取付部５１１を当接部７２４Ｂと挟持部７２５Ｂとの間に挿入する。これにより、図１Ｂに示すように、取付部５１１が第２ばね部５２の接触方向と同じ方向で当接部７２４に接触し、取付部５１１が当接部７２４Ｂと挟持部７２５Ｂとで挟まれる。よって、第２接触子５０２のカバー７２からの脱落が抑制される。なお、第２接触子５０２における、第２ばね部５２の接触方向は、第２ばね部５２が部材（本実施形態では、第２電極４１２）に接触する方向（つまり、弾性力が作用する方向）である。さらに、突起５１２が当接部７２４Ｂの空所７２４１に入り込むから、第２接触子５０２のカバー７２からの脱落がさらに抑制される。
【００４２】
上述したように、当接部７２４Ａと当接部７２４Ｂとは、図５Ｂに示すように、器体７０の前後方向に平行し回転軸を通る軸（図５Ｂでは器体７０の中心軸）に対して２回対称に配置される。したがって、図５Ｂに示すように、第１接触子５０１及び第２接触子５０２も器体７０の前後方向に平行し回転軸を通る軸（図５Ｂでは器体７０の中心軸）に対して２回対称に配置される。そのため、第１接触子５０１と第２接触子５０２とが互いに反対側からハンドル８０に弾性力を作用させる。そのため、第１接触子５０１及び第２接触子５０２が器体７０の前後方向に平行し回転軸を通る軸（図５Ｂでは器体７０の中心軸）に対して２回対称に配置されていない場合に比べれば、ハンドル８０の操作性への影響を低減できる。例えば、第１接触子５０１及び第２接触子５０２の両方が器体７０の長手方向の一端側に配置されている場合に比べれば、ハンドル８０の操作性への影響を低減できる。
【００４３】
次に、カバー７２をボディ７１に取り付けて器体７０を構成する。これにより、第１接触子５０１の第１ばね部５１が第１端子３１の第１接触面３１３に接触し、第２接触子５０２の第１ばね部５１が第２端子３２の第２接触面３２３に接触する。
【００４４】
次に、ハンドル８０をカバー７２に取り付ける。これによって、ハンドル８０が２つの軸受部７２２，軸受部７２２により開口７２１内で回転自在に支持される。また、第１電極４１１及び第２電極４１２は、器体７０の前後方向においてハンドル８０の回転軸（軸部８１）と重なる位置に位置する。この場合、第１電極４１１及び第２電極４１２が器体７０の前後方向においてハンドル８０の回転軸（軸部８１）と重ならない場合に比べれば、ハンドル８０の回転に対する第１電極４１１及び第２電極４１２の変位が少なくなる。そのため、第１接触子５０１及び第２接触子５０２と第１電極４１１及び第２電極４１２とをそれぞれ安定して接触させることができる。
【００４５】
また、ハンドル８０をカバー７２に取り付けると、第１接触子５０１の第２ばね部５２が第１電極４１１に弾性力を作用させた状態で接触して後方に押圧される。また、第２接触子５０２の第２ばね部５２も同様に第２電極４１２に弾性力を作用させた状態で接触して後方に押圧される。第２ばね部５２は第１ばね部５１から延出されているから、第２ばね部５２が後方に押圧されると、第１ばね部５１も後方に押圧されることになる。したがって、第１ばね部５１も第１接触面３１３に弾性力を作用させた状態で接触する。その結果、第１接触子５０１は、器体７０の前後方向において圧縮された状態で、第１接触面３１３と第１電極４１１との間に配置される。そのため、第２ばね部５２が第１ばね部５１から延出されていない場合とは異なり、第１ばね部５１の接圧と第２ばね部５２の接圧との差を低減できる。したがって、第１端子３１と第１電極４１１との両方に第１接触子５０１を安定して接触させることができる。
【００４６】
また、この状態では、第２ばね部５２が第１電極４１１から後ろ方向の力を受け、第１ばね部５１が第１接触面３１３から前方向の力を受ける。その結果、第１ばね部５１の取付部５１１が当接部７２４Ａに押し付けられる。これにより、取付部５１１の突起５１２が当接部７２４Ａの空所７２４１に入った状態を安定して維持できる。その結果、第１接触子５０１のカバー７２からの脱落がより抑制される。同様に、第２接触子５０２も、器体７０の前後方向において圧縮された状態で、第２接触面３２３と第２電極４１２との間に配置される。これにより、第２端子３２と第２電極４１２との両方に第２接触子５０２を安定して接触させることができる。
【００４７】
なお、カバー７２をボディ７１に取り付けた場合に、寸法誤差等により、第１接触子５０１の第１ばね部５１が第１接触面３１３に接触しない場合がある。このような場合でも、ハンドル８０をカバー７２に取り付けた際には、第１接触子５０１の第２ばね部５２が第１電極４１１に弾性力を作用させた状態で接触して後方に押圧される。その結果、第１ばね部５１も後方に押圧されるから、第１ばね部５１を第１接触面３１３に弾性力を作用させた状態で接触させやすくなる。したがって、寸法誤差等があっても、第１接触子５０１を第１端子３１と第１電極４１１と接触させやすくなる。この点は、第２接触子５０２であっても同様である。
【００４８】
このようにして図２に示すスイッチ本体２０が得られる。最後に、スイッチハンドル９０がスイッチ本体２０の前面に取り付けられ、スイッチ１が完成する。
【００４９】
上記の例では、カバー７２をボディ７１に取り付けてからハンドル８０をカバー７２に取り付けている。しかし、カバー７２をボディ７１に取り付ける前に、ハンドル８０をカバー７２に取り付けてもよい。ハンドル８０をカバー７２に取り付けると、第１接触子５０１の第２ばね部５２が第１電極４１１に接触し、第２接触子５０２の第２ばね部５２が第２電極４１２に接触する。次に、カバー７２をボディ７１に取り付けて器体７０を構成する。これにより、第１接触子５０１の第１ばね部５１が第１端子３１の第１接触面３１３に弾性力を作用させた状態で接触して前方に押圧される。また、第２接触子５０２の第１ばね部５１も第２端子３２の第２接触面３２３に弾性力を作用させた状態で接触して前方に押圧される。
【００５０】
ここで、第１接触子５０１では、第２ばね部５２は第１ばね部５１から延出されているから、第１ばね部５１が前方に押圧されると、第２ばね部５２も前方に押圧されることになる。したがって、第２ばね部５２も第１電極４１１に弾性力を作用させた状態で接触する。その結果、第１接触子５０１は、器体７０の前後方向において圧縮された状態で、第１接触面３１３と第１電極４１１との間に配置される。これにより、第１端子３１と第１電極４１１との両方に第１接触子５０１を安定して接触させることができる。同様に、第２接触子５０２でも、第２ばね部５２は第１ばね部５１から延出されている。そのため、第２接触子５０２も、器体７０の前後方向において圧縮された状態で、第２接触面３２３と第２電極４１２との間に配置される。したがって、第２端子３２と第２電極４１２との両方に第２接触子５０２を安定して接触させることができる。
【００５１】
なお、ハンドル８０をカバー７２に取り付けた場合は、寸法誤差等により、第１接触子５０１の第２ばね部５２が第１電極４１１に接触しない場合がある。このような場合でも、カバー７２をボディ７１に取り付けた際には、第１接触子５０１の第１ばね部５１が第１接触面３１３に弾性力を作用させた状態で接触して前方に押圧される。その結果、第２ばね部５２も前方に押圧されるから、第２ばね部５２を第１電極４１１に弾性力を作用させた状態で接触させやすくなる。したがって、寸法誤差等があっても、第１接触子５０１を第１端子３１と第１電極４１１と接触させやすくなる。この点は、第２接触子５０２であっても同様である。
【００５２】
１．３  効果
上述したスイッチ１０では、第１接触子５０１では、第１ばね部５１は第１端子３１の第１接触面３１３に弾性力を作用させた状態で接触し、第２ばね部５２は第１電極４１１に弾性力を作用させた状態で接触する。また、第２接触子５０２では、第１ばね部５１は第２端子３２の第２接触面３２３に弾性力を作用させた状態で接触し、第２ばね部５２は第２電極４１２に弾性力を作用させた状態で接触する。第１接触子５０１及び第２接触子５０２の各々において、第１ばね部５１はケース６０のカバー７２に取り付けられ、第２ばね部５２は第１ばね部５１から延出されている。そのため、第２ばね部５２が第１ばね部５１から延出されていない場合とは異なり、第１ばね部５１の接圧と第２ばね部５２の接圧との差を低減できる。したがって、第１端子３１と第１電極４１１との両方に第１接触子５０１を安定して接触させることができ、また、第２端子３２と第２電極４１２との両方に第２接触子５０２を安定して接触させることができる。
【００５３】
また、スイッチ１０では、第１ばね部５１及び第２ばね部５２の各々は、板ばね（例えば、金属製の板ばね）である。そのため、第１ばね部５１及び第２ばね部５２が面接触し易くなる。したがって、第１端子３１と第１電極４１１との両方に第１接触子５０１をより安定して接触させることができ、また、第２端子３２と第２電極４１２との両方に第２接触子５０２をより安定して接触させることができる。
【００５４】
また、スイッチ１０では、第１接触子５０１の取付部５１１が第２ばね部５２の接触方向と同じ方向で当接部７２４Ａに接触し、取付部５１１が当接部７２４Ａと挟持部７２５Ａとで挟まれる。よって、第１接触子５０１のカバー７２からの脱落が抑制される。また、突起５１２が当接部７２４Ａの空所７２４１に入り込むから、第１接触子５０１のカバー７２からの脱落がさらに抑制される。
【００５５】
また、スイッチ１０では、第２接触子５０２の取付部５１１が第２ばね部５２の接触方向と同じ方向で当接部７２４Ｂに接触し、取付部５１１が当接部７２４Ｂと挟持部７２５Ｂとで挟まれる。よって、第２接触子５０２のカバー７２からの脱落が抑制される。また、突起５１２が当接部７２４Ｂの空所７２４１に入り込むから、第２接触子５０２のカバー７２からの脱落がさらに抑制される。
【００５６】
また、スイッチ１０では、第１電極４１１及び第２電極４１２は、器体７０の前後方向においてハンドル８０の回転軸（軸部８１）と重なる位置に位置する。この場合、第１電極４１１及び第２電極４１２が器体７０の前後方向においてハンドル８０の回転軸（軸部８１）と重ならない場合に比べれば、ハンドル８０の回転に対する第１電極４１１及び第２電極４１２の変位が少なくなる。そのため、第１接触子５０１及び第２接触子５０２と第１電極４１１及び第２電極４１２とをそれぞれ安定して接触させることができる。
【００５７】
また、スイッチ１０では、図５Ｂに示すように、第１接触子５０１及び第２接触子５０２が器体７０の前後方向に平行し回転軸を通る軸（図５Ｂでは器体７０の中心軸）に対して２回対称に配置される。これにより、第１接触子５０１と第２接触子５０２とが互いに反対側からハンドル８０に弾性力を作用させる。そのため、第１接触子５０１及び第２接触子５０２が器体７０の前後方向に平行し回転軸を通る軸（図５Ｂでは器体７０の中心軸）に対して２回対称に配置されていない場合に比べれば、ハンドル８０の操作性への影響を低減できる。
【００５８】
また、スイッチ１０では、第１接触子５０１の第１ばね部５１は、器体７０（カバー７２）に取り付けられる。また、第１接触子５０１では、第１ばね部５１が第１端子３１の接触面３１３に弾性力を作用させた状態で接触し、第２ばね部５２が第１電極４１１に弾性力を作用させた状態で接触する。そのため、第１ばね部５１が第１電極４１１に、第２ばね部５２が接触面３１３に、それぞれ接触する場合に比べて、第１ばね部５１がハンドル８０の回転に対する影響を受け難くなる。したがって、ハンドル８０の回転によって第１ばね部５１及び第２ばね部５２の両方が変形することを抑制できる。その結果、第１端子３１と第１電極４１１との両方に第１接触子５０１をより安定して接触させることができる。
【００５９】
また、スイッチ１０では、第２接触子５０２の第２ばね部５２は、器体７０（カバー７２）に取り付けられる。また、第２接触子５０２では、第１ばね部５１が第２端子３２の接触面３２３に弾性力を作用させた状態で接触し、第２ばね部５２が第２電極４１２に弾性力を作用させた状態で接触する。そのため、第１ばね部５１が第２電極４１２に、第２ばね部５２が接触面３２３に、それぞれ接触する場合に比べて、第１ばね部５１がハンドル８０の回転に対する影響を受け難くなる。したがって、ハンドル８０の回転によって第１ばね部５１及び第２ばね部５２の両方が変形することを抑制できる。その結果、第２端子３２と第２電極４１２との両方に第２接触子５０２をより安定して接触させることができる。
【００６０】
２．変形例
本発明の実施形態は、上記実施形態に限定されない。上記実施形態は、本発明の目的を達成できれば、設計等に応じて種々の変更が可能である。以下に、上記実施形態の変形例を列挙する。
【００６１】
例えば、スイッチ１０は、図７Ａ及び図７Ｂ並びに図８に示すようなスイッチ本体２０Ａを備えていてもよい。なお、図７Ａは、図８のＸ−Ｘ線断面図であり、図７Ｂは図８のＹ−Ｙ線断面図である。
【００６２】
スイッチ本体２０Ａは、スイッチ機構３０Ａと、表示部４０と、２つの接触子５０（第１接触子５０１及び第２接触子５０２）と、ケース６０と、を備える。なお、スイッチ本体２０Ａとスイッチ本体２０とで実質的な相違のない構成については同じ符号を付すことで説明を省略する。
【００６３】
スイッチ機構３０Ａは、３つの端子（第１〜第３端子）３１Ａ，３２Ａ，３６と、可動接点３３と、可動接触子３４と、付勢ばね３５と、を有する。
【００６４】
第１〜第３端子３１Ａ，３２Ａ，３６の各々は、電線が接続される端子である。第１〜第３端子３１Ａ，３２Ａ，３６は互いに分離して配置されている。より詳細には、図８に示すように、第１端子３１Ａ及び第２端子３２Ａは器体７０の長手方向（図８の左右方向）の一端側（図８の左端側）に、第３端子３６は器体７０の長手方向の他端側（図８の右端側）にそれぞれ配置される。また、第１端子３１Ａ及び第２端子３２Ａは器体７０の幅方向（図８の上下方向）に並べて配置される。
【００６５】
第１端子３１Ａは、端子板３１０Ａと、鎖錠ばね３１１と、解除釦３１２と、を備える。端子板３１０Ａは、固定接点３１０ｄと、接触片３１０ｅと、連結片３１０ｆと、を有する。接触片３１０ｅと鎖錠ばね３１１とは互いに対向するように配置されて、いわゆる速結端子を構成する。また、第１端子３１Ａは、図７Ａに示すように、連結片３１０ｆの前面に第１接触子５０１と接触される接触面（第１接触面）３１３を有する。
【００６６】
第２端子３２Ａは、端子板３２０Ａと、鎖錠ばね３２１と、を備える。端子板３２０Ａは、固定接点３２０ｄと、接触片３２０ｅと、連結片３２０ｆと、を有する。接触片３２０ｅと鎖錠ばね３２１とは互いに対向するように配置されて、いわゆる速結端子を構成する。また、第２端子３２Ａは、図７Ｂに示すように、連結片３２０ｆの前面に第２接触子５０２と接触される接触面（第２接触面）３２３を有する。
【００６７】
スイッチ機構３０Ａでは、解除釦３１２が第１端子３１Ａと第２端子３２Ａとで共用されている。
【００６８】
第３端子３６は、端子板３６０と、２つの鎖錠ばね３６１と、解除釦３６２を備える。端子板３６０は、支持片３６０ａと、２つの接続片３６０ｂ，３６０ｂと、連結板３６０ｃと、を有する。支持片３６０ａは、可動接触子３４を回転可能に支持する。接続片３６０ｂと鎖錠ばね３６１とは互いに対向するように配置されて、いわゆる速結端子を構成する。解除釦３６２は、電線を第３端子３６から取り外すことができるように鎖錠ばね３６１を部分的に変形させるための部材である。解除釦３６２は、電気絶縁性を有する合成樹脂の成形品である。
【００６９】
可動接触子３４は、後端で第３端子３６の支持片３６０ａに回転自在に支持される。
【００７０】
可動接点３３は、図７Ａに示すように、第１端子３１Ａの固定接点３１０ｄと対向し、かつ、第２端子３２Ａの固定接点３２０ｄと対向するように可動接触子３４に設けられる。したがって、可動接点３３は、第１端子３１Ａ（固定接点３１０ｄ）に接触する第１位置及び第１端子３１Ａ（固定接点３１０ｄ）に接触しない第２位置との間で移動可能である。また、可動接点３３は、第１位置では第２端子３２Ａ（固定接点３２０ｄ）に接触せず、第２位置では第２端子３２Ａ（固定接点３２０ｄ）に接触する。また、可動接点３３は、可動接触子３４を通じて第３端子３６に電気的に接続される。
【００７１】
スイッチ機構３０Ａでは、可動接点３３が第１位置にある場合、可動接点３３は固定接点３１０ｄに接触するが、固定接点３２０ｄには接触しない。そのため、第１端子３１Ａと第３端子３６との間の電路が閉じられ、第２端子３２Ａと第３端子３６との間の電路は開かれる。可動接点３３が第２位置にある場合、可動接点３３は固定接点３１０ｄに接触しないが、固定接点３２０ｄには接触する。そのため、第２端子３２Ａと第３端子３６との間の電路が閉じられ、第１端子３１Ａと第３端子３６との間の電路は開かれる。スイッチ機構３０Ａは、三路スイッチを構成する。
【００７２】
第１接触子５０１は、図７Ａ及び図８に示すように、第１接触子５０１の取付部５１１を当接部７２４Ａと挟持部７２５Ａとの間に挿入することでカバー７２に取り付けられている。これにより、第１ばね部５１は、器体７０（カバー７２）に取り付けられる。また、第１ばね部５１が第１端子３１Ａの接触面３１３に弾性力を作用させた状態で接触し、第２ばね部５２が第１電極４１１に弾性力を作用させた状態で接触する。第２接触子５０２は、図７Ｂ及び図８に示すように、第２接触子５０２の取付部５１１を当接部７２４Ｃと挟持部７２５Ｃとの間に挿入することでカバー７２に取り付けられている。これにより、第２ばね部５２は、器体７０（カバー７２）に取り付けられる。また、第１ばね部５１が第２端子３２Ａの接触面３２３に弾性力を作用させた状態で接触し、第２ばね部５２が第２電極４１２に弾性力を作用させた状態で接触する。
【００７３】
上述したスイッチ本体２０Ａを備えるスイッチ１０においても、第１接触子５０１では、第１ばね部５１は第１端子３１Ａの第１接触面３１３に弾性力を作用させた状態で接触し、第２ばね部５２は第１電極４１１に弾性力を作用させた状態で接触する。また、第２接触子５０２では、第１ばね部５１は第２端子３２Ａの第２接触面３２３に弾性力を作用させた状態で接触し、第２ばね部５２は第２電極４１２に弾性力を作用させた状態で接触する。第１接触子５０１及び第２接触子５０２の各々において、第１ばね部５１はケース６０のカバー７２に取り付けられ、第２ばね部５２は第１ばね部５１から延出されている。そのため、第２ばね部５２が第１ばね部５１から延出されていない場合とは異なり、第１ばね部５１の接圧と第２ばね部５２の接圧との差を低減できる。したがって、第１端子３１Ａと第１電極４１１との両方に第１接触子５０１を安定して接触させることができ、また、第２端子３２Ａと第２電極４１２との両方に第２接触子５０２を安定して接触させることができる。
【００７４】
なお、スイッチ機構（３０，３０Ａ）において、可動接点３３は、可動接触子３４と別部材であってもよいし、可動接触子３４の一部であってもよい。
【００７５】
また、スイッチ機構（３０，３０Ａ）は、片切りスイッチや三路スイッチ以外のスイッチ（例えば四路スイッチ）を構成してもよい。つまり、スイッチ機構は、２つの端子（３１，３２；３１Ａ，３２Ａ）及び可動接点（３３）を有していればよい。
【００７６】
また、表示部４０は、スイッチ１０を介して電源から負荷に電力が供給されていない場合に光源が消灯し、スイッチ１０を介して電源から負荷に電力が供給されている場合に光源が点灯するように構成されていてもよい。つまり、スイッチ１０は、いわゆる、光源としてパイロットランプを有し、パイロットランプの点灯又は消灯により表示を行うパイロットスイッチであってもよい。また、表示部４０は、負荷の動作状態に応じて表示状態が変化する構成であってもよい。例えば、負荷が調光可能な照明器具である場合に、照明器具の調光レベルに応じて表示部４０の表示状態が変化してもよい。また、表示部４０は、光源４２から放射される光の色を変えることで表示状態を変更してもよい。また、２つの電極４１は、器体７０の前後方向においてハンドル８０の回転軸と重なっていなくてもよい。例えば、２つの電極４１は、器体７０の前後方向においてハンドル８０の回転軸と重ならないように、基板４４の長手方向の端部に配置されていてもよい。ただし、器体７０の前後方向においてハンドル８０の回転軸と重なっているほうが、ハンドル８０の回転に対する電極４１の変位を少なくできる。また、電極４１は、必ずしも基板４４に形成されている必要はなく、金属板等に形成されていてもよい。また、光源４２は、発光ダイオード以外の光源（例えばネオンランプ等）であってもよい。また、抵抗４３は必ずしも必須ではない。
【００７７】
また、スイッチ１０は、図９に示すような接触子５０Ａを備えていてもよい。図９では、接触子５０Ａは第１接触子として用いられている。接触子５０Ａは、接触子５０と同様に、第１ばね部５１及び第２ばね部５２を有する。ただし、接触子５０Ａでは、第１ばね部５１が第１電極４１１に弾性力を作用させた状態で接触し、第１ばね部５１が第１端子３１の接触面３１３に弾性力を作用させた状態で接触する。同様に、接触子５０Ａは第２接触子として用いられてもよい。この場合、第１ばね部５１が第２電極４１２に弾性力を作用させた状態で接触し、第２ばね部５２が第２端子３２の接触面３２３に弾性力を作用させた状態で接触する。つまり、第１ばね部５１と第２ばね部５２との一方は、２つの端子のうちの対応する端子の接触面に弾性力を作用させた状態で接触し、他方は、２つの電極のうちの対応する電極に弾性力を作用させた状態で接触すればよい。
【００７８】
また、第１ばね部５１及び第２ばね部５２の各々は、板ばね（例えば、金属製の板ばね）ではなく、コイルばね、トーションばねその他の弾性体であってもよい。ただし、板ばねであるほうが、第１ばね部５１及び第２ばね部５２が面接触し易くなるため好ましい。
【００７９】
上記実施形態では、第１ばね部５１は、ケース６０に取り付けられているが、ケース６０に固定されているわけではない。つまり、第１ばね部５１は、ケース６０に対してある程度移動可能な状態でケース６０に取り付けられている。しかし、第１ばね部５１は、ケース６０に対して移動しないようにケース６０に取り付けられてもよい。また、第１ばね部５１は、取付部５１１を有していなくてもよい。例えば、第１ばね部５１は、ねじ止めや、圧入その他の方法で、カバー７２に取り付けられていてもよい。
【００８０】
また、接触子５０の第１ばね部５１は、カバー７２ではなくボディ７１に取り付けられてもよいし、ハンドル８０に取り付けられてもよい。要するに、第１ばね部５１は、ケース６０に取り付けられていればよい。なお、第１ばね部５１がハンドル８０に取り付けられる場合、第１ばね部５１が、対応する電極４１に弾性力を作用させた状態で接触し、第２ばね部５２が、対応する端子に弾性力を作用させた状態で接触することが好ましい。この場合、第１ばね部５１が端子に第２ばね部５２が電極４１に接触する場合に比べて、第１ばね部５１がハンドル８０の回転に対する影響を受け難くなる。
【００８１】
また、第１及び第２接触子５０１，５０２は、各々が、第１ばね部５１と第２ばね部５２とを有していなくてもよい。つまり、２つの接触子の少なくとも一方が、第１ばね部５１と第２ばね部５２とを有していればよい。
【００８２】
また、ケース６０（ボディ７１、カバー７２、及びハンドル８０）の形状や構成は、特に限定されない。例えば、当接部７２４の空所７２４１は、貫通孔ではなく凹部であってもよい。また、ケース６０（ボディ７１、カバー７２、及びハンドル８０）の形状や構成は、例えば、ケース６０に収納される部品（スイッチ機構３０、表示部４０、及び接触子５０等）に応じて適宜変更されてもよい。また、ケース６０は、ロッカー式（シーソー式）スイッチではなく、ピアノハンドル式スイッチに対応するケースであってもよい。要するに、ハンドル８０は、必ずしも回転可能に器体７０に取り付けられていなくてもよく、直動可能に器体７０に取り付けられていてもよい。要するに、ハンドル８０は、可動接点３３を移動させるために器体７０の前面に移動可能に取り付けられていればよい。
【００８３】
また、スイッチハンドル９０は、シングルスイッチ用のハンドルに限定されない。スイッチハンドル９０は、例えば、シングルスイッチ用のハンドルとは異なる形状、例えば、ダブルスイッチ用のハンドル又はトリプルスイッチ用のハンドルであってもよい。ダブルスイッチ用のハンドルは、上記実施形態で説明した取付枠に２つのスイッチ本体を取り付ける場合に使用されるハンドルである。つまり、ダブルスイッチ用のハンドルは、１つの取付枠に対して２つまで取り付け可能である。トリプルスイッチ用のハンドルは、上記実施形態で説明した取付枠に３つのスイッチ本体を取り付ける場合に使用されるハンドルである。つまり、トリプルスイッチ用のハンドルは、１つの取付枠に対して３つまで取り付け可能である。また、スイッチ１０は、必ずしもスイッチハンドル９０を備えていなくてもよい。
【００８４】
３．態様
以上述べた実施形態及び変形例から明らかなように、第１の態様のスイッチ（１０）は、スイッチ機構（３０，３０Ａ）と、表示部（４０）と、２つの接触子（５０，５０１，５０２；５０Ａ）と、ケース（６０）と、を備える。前記スイッチ機構（３０）は、２つの端子（３１，３２；３１Ａ，３２Ａ）及び可動接点（３３）を有する。前記表示部（４０）は、２つの電極（４１１，４１２）を有する。前記２つの接触子（５０，５０１，５０２；５０Ａ）は、前記２つの端子（３１，３１Ａ，３２，３２Ａ）を前記２つの電極（４１，４１１，４１２）にそれぞれ電気的に接続する。前記ケース（６０）は、前記スイッチ機構（３０）を収容する器体（７０）、及び、前記可動接点（３３）を移動させるために前記器体（７０）の前面（７０１）に移動可能に取り付けられるハンドル（８０）を有する。前記２つの端子（３１，３２；３１Ａ，３２Ａ）は、それぞれ、前記器体（７０）の前方を向いた接触面（３１３，３２３）を有する。前記２つの電極（４１，４１１，４１２）は、それぞれ、前記器体（７０）の後方を向くように配置される。前記２つの接触子（５０，５０１，５０２；５０Ａ）の少なくとも一方は、前記ケース（６０）に取り付けられる第１ばね部（５１）と、前記第１ばね部（５１）から延出される第２ばね部（５２）と、を有する。前記第１ばね部（５１）と前記第２ばね部（５２）との一方は、前記２つの端子（３１，３１Ａ，３２，３２Ａ）のうちの対応する端子の前記接触面（３１３，３２３）に弾性力を作用させた状態で接触する。前記第１ばね部（５１）と前記第２ばね部（５２）との他方は、前記２つの電極（４１，４１１，４１２）のうちの対応する電極に弾性力を作用させた状態で接触する。第１の態様によれば、端子と表示部の電極との両方に接触子を安定して接触させることができる。
【００８５】
第２の態様のスイッチ（１０）は、第１の態様との組み合わせにより実現され得る。第２の態様では、前記第１ばね部（５１）及び前記第２ばね部（５２）の各々は、板ばねである。第２の態様によれば、端子と表示部の電極との両方に接触子をより安定して接触させることができる。
【００８６】
第３の態様のスイッチ（１０）は、第１又は第２の態様との組み合わせにより実現され得る。第３の態様では、前記第１ばね部（５１）は、一端に前記ケース（６０）に取り付けられる取付部（５１１）を有する。前記第２ばね部（５２）は、前記第１ばね部（５１）の他端から延出される。前記ケース（６０）は、前記取付部（５１１）が前記第２ばね部（５２）の接触方向と同じ方向で接触する当接部（７２４）と、前記当接部（７２４）とで前記取付部（５１１）を挟む挟持部（７２５）と、を有する。第３の態様によれば、接触子のケースからの脱落が抑制される。
【００８７】
第４の態様のスイッチ（１０）は、第３の態様との組み合わせにより実現され得る。第４の態様では、前記取付部（５１１）は、前記当接部（７２４）と対向する面に突起（５１２）を有する。前記当接部（７２４）は、前記突起（５１２）が挿入される空所（７２４１）を有する。第４の態様によれば、接触子のケースからの脱落がさらに抑制される。
【００８８】
第５の態様のスイッチ（１０）は、第１〜第４の態様のいずれか一つとの組み合わせにより実現され得る。第５の態様では、前記ハンドル（８０）は、前記器体（７０）の前後方向に直交する回転軸の周りに回転可能に支持される。前記２つの電極（４１，４１１，４１２）は、前記前後方向において前記回転軸と重なっている。第５の態様によれば、表示部の電極に接触子を安定して接触させることができる。
【００８９】
第６の態様のスイッチ（１０）は、第５の態様との組み合わせにより実現され得る。第６の態様では、前記２つの接触子（５０，５０１，５０２；５０Ａ）の各々は、前記第１ばね部（５１）及び前記第２ばね部（５２）を有し、前記前後方向に平行し前記回転軸を通る軸に対して２回対称に配置される。第６の態様によれば、ハンドルの操作性への影響を低減できる。
【００９０】
第７の態様のスイッチ（１０）は、第１〜第６の態様との組み合わせにより実現され得る。第７の態様では、前記第１ばね部（５１）は、前記器体（７０）に取り付けられ、前記２つの端子（３１，３１Ａ，３２，３２Ａ）のうちの対応する端子の前記接触面（３１３，３２３）に弾性力を作用させた状態で接触する。前記第２ばね部（５２）は、前記２つの電極（４１，４１１，４１２）のうちの対応する電極に弾性力を作用させた状態で接触する。第７の態様によれば、端子と表示部の電極との両方に接触子をより安定して接触させることができる。
【符号の説明】
【００９１】
１０  スイッチ
３０  スイッチ機構
３１，３１Ａ  端子（第１端子）
３１３  接触面（第１接触面）
３２，３２Ａ  端子（第２端子）
３２３  接触面（第２接触面）
３３  可動接点
４０  表示部
４１  電極
４１１  第１電極
４１２  第２電極
５０，５０Ａ、接触子
５０１  第１接触子
５０２  第２接触子
５１  第１ばね部
５１１  取付部
５１２  突起
５２  第２ばね部
６０  ケース
７０  器体
７２４  当接部
７２４１  空所
７２５  挟持部
８０  ハンドル
【図１】
2018045869.tif 000003
【図２】
2018045869.tif 000004
【図３】
2018045869.tif 000005
【図４】
2018045869.tif 000006
【図５】
2018045869.tif 000007
【図６】
2018045869.tif 000008
【図７】
2018045869.tif 000009
【図８】
2018045869.tif 000010
【図９】
2018045869.tif 000011